(57)【特許請求の範囲】
【請求項１】
種類の異なる読取部を着脱することにより種類の異なる記録担体を読取可能な記録担体の読取装置であって、装着された読取部の種類を認識する認識部と、前記種類の異なる読取部にそれぞれ対応する複数の読取モードを有する制御部を備え、前記認識部の認識結果に基づいて前記制御部の読取モードが選択されることを特徴とする記録担体の読取装置。
【請求項２】
前記読取部はその種類に固有の質問信号を受信すると、その種類に固有の応答信号を送信する応答部を備え、前記認識部は前記読取部に質問信号を送信することにより前記読取部の種類を認識することを特徴とする請求項１記載の記録担体の読取装置。
【請求項３】
前記種類の異なる読取部はバーコード用読取部とコンタクトレスＩＣタグ用読取部であることを特徴とする請求項１又は２記載の記録担体の読取装置。
【発明の詳細な説明】
【０００１】
【発明の属する技術分野】
本発明は、バーコードやコンタクトレスＩＣタグ等の記録担体を付した物品を管理するための、記録担体の読取装置に関するものである。
【０００２】
【従来の技術】
従来、物品を効率よく管理するために物品にバーコードを付することが広く行われているが、近年は、物品にコンタクトレスＩＣタグを付することも行われている。
【０００３】
コンタクトレスＩＣタグはＩＣチップとアンテナを備え、ＩＣチップにデータを記録し、アンテナを介して電波によりデータを読み書きするものである。
【０００４】
バーコードは安価で製造が容易であるが、それゆえ偽造も容易であり、記録できる情報量も少ない。これに対し、コンタクトレスＩＣタグは偽造が困難で、大量の情報を記録することが可能であるが、コストが高い。
【０００５】
これらバーコードやコンタクトレスＩＣタグの読取装置は、バーコード専用あるいはコンタクトレスＩＣタグ専用の読取装置しか存在していなかった。
【０００６】
【発明が解決しようとする課題】
従って、記録担体をバーコードからコンタクトレスＩＣタグに変更しようとする場合、読取装置を買い替える必要があった。
【０００７】
また、バーコードとコンタクトレスＩＣタグの双方を同時に運用しようとする場合、２台の読取装置が必要となった。
【０００８】
読取装置は一般に高価であり、また、物品を読取部まで搬送する搬送部や、読取結果を表示する表示部や、搬送部や表示部を制御する制御部等は、バーコード読取装置とコンタクトレスＩＣタグ読取装置に共通であるため、読取装置を買い替えたり、２台の読取装置を備えたりすることは非効率的である。
【０００９】
本発明はこのような実情に鑑みて成されたものであり、１台で種類の異なる記録担体を読取ることができる効率的な読取装置を提供することを目的としている。
【００１０】
【課題を解決するための手段】
請求項１記載の発明は、種類の異なる読取部を着脱することにより種類の異なる記録担体を読取可能な記録担体の読取装置であって、装着された読取部の種類を認識する認識部と、前記種類の異なる読取部にそれぞれ対応する複数の読取モードを有する制御部を備え、前記認識部の認識結果に基づいて前記制御部の読取モードが選択されることを特徴とする読取装置である。
【００１１】
本発明によれば、１台の読取装置で種類の異なる記録担体を効率的に読取ることができる。
【００１２】
例えば記録担体を異なる種類のものに変更しようとする場合に、読取部を交換するだけでよく、読取装置を買い替える必要がないのでコストが低減される。
【００１３】
また、例えば異なる種類の記録担体を同時に運用しようとする場合にも、記録担体に対応した複数の読取部を装着するだけでよく、記録担体の種類ごとに複数の読取装置を備える必要がないので、コストが低減され、また場所もとらない。
【００１４】
さらに、装着された読取部に対応して読取モードが自動的に選択されるので、操作性がよい。
【００１５】
請求項２記載の発明は、請求項１記載の発明において、前記読取部はその種類に固有の質問信号を受信すると、その種類に固有の応答信号を送信する応答部を備え、前記認識部は前記読取部に質問信号を送信することにより前記読取部の種類を認識することを特徴とする読取装置である。
【００１６】
本発明によれば、信号のやりとりにより読取部の種類を効率的に認識することができる。
【００１７】
請求項３記載の発明は、請求項１又は２記載の発明において、前記種類の異なる読取部はバーコード用読取部とコンタクトレスＩＣタグ用読取部であることを特徴とする読取装置である。
【００１８】
本発明によれば、１台の読取装置でバーコードとコンタクトレスＩＣタグを効率的に読取ることができる。
【００１９】
【発明の実施の形態】
以下に、本発明の具体例を図面に基いて詳細に説明する。
【００２０】
本例の読取装置は、読取部を交換することにより、バーコードとコンタクトレスＩＣタグのいずれかを読取可能な読取装置であり、バーコード又はコンタクトレスＩＣタグを付されたカードの管理に用いられるものである。
【００２１】
本装置の構成について図１及び図２を使って説明する。図１は、本例に係る読取装置の構成ブロック図であり、図２は、読取装置の読取部と搬送部を示す説明図である。本装置は、図１に示すように、読取部１００と、認識部２００と、制御部３００と、操作部４００と、搬送部５００と、表示部６００とから構成されている。
【００２２】
以下、各部を具体的に説明する。読取部１００は、使用するカード７００の種類に応じてバーコード用読取部８００又はコンタクトレスＩＣタグ用読取部９００を装着する。
【００２３】
バーコード用読取部８００は光源と光センサを備え、バーコードに光を照射し、反射光を光センサで検知して電気信号に変換する。
【００２４】
コンタクトレスＩＣタグ用読取部９００はアンテナを備え、コンタクトレスＩＣタグに電波を送信し、またコンタクトレスＩＣタグから受信する。
【００２５】
これらの読取部１００は、その種類に固有の質問信号を認識部２００から受信すると、その種類に固有の応答信号を送信する応答部１１０を備える。
【００２６】
本例において、バーコード読取部の応答部はバーコード読取部固有の質問信号（仮に「ＳＥＴ」とする）を受信したときのみ、バーコード読取部固有の応答信号（仮に「ＯＫ」とする）を返すよう設定されている。
【００２７】
一方、コンタクトレスＩＣタグ読取部はコンタクトレスＩＣタグ読取部固有の質問信号（仮に「ＲＥＳＥＴ」とする）を受信したときのみ、コンタクトレスＩＣタグ読取部固有の応答信号（仮に「ＲＥＡＤＹ」とする）を返すよう設定されている。
【００２８】
また、バーコード読取部が「ＳＥＴ」以外の質問信号（例えば「ＲＥＳＥＴ」）を受信したときは、バーコード読取部固有の応答信号でもコンタクトレスＩＣタグ読取部固有の応答信号でもない応答信号（仮に「ＮＧ」とする）を返すよう設定されている。
【００２９】
一方、コンタクトレスＩＣタグ読取部が「ＲＥＳＥＴ」以外の質問信号（例えば「ＳＥＴ」）を受信したときは、何も応答しないよう設定されている。
【００３０】
認識部２００は電源投入の際に、読取部１００に対し、バーコード読取部固有の質問信号「ＳＥＴ」又はコンタクトレスＩＣタグ読取部固有の質問信号「ＲＥＳＥＴ」を送信し、その反応により読取部１００の種類を認識する。
【００３１】
読取部１００の種類が認識されると、その結果が制御部３００に送られる。
【００３２】
制御部３００はバーコード読取部及びコンタクトレスＩＣタグ読取部にそれぞれ対応する読取モードを有し、認識部２００から送られた認識結果に基づいて、読取部１００の種類に応じた読取モードを選択する。これにより、本装置はバーコード用の読取装置又はコンタクトレスＩＣタグ用の読取装置として作動することになる。
【００３３】
制御部３００は読取部１００から送られたデータを基にカード７００が正規のものであるか判定したり、データを計算したり、記憶したりする。また、搬送部５００や表示部６００を制御する。
【００３４】
操作部４００は読取りの開始や終了等を操作するプッシュ式の操作ボタンを複数配列して構成されている。
【００３５】
搬送部５００はモータにより駆動されるベルトコンベアであり、多数のカード７００を重ねて投入するセット部５１０を有し、読取りの開始とともに、セット部５１０に投入されたカード７００が、セット部５１０の下側から一枚ずつベルトとともに移動して、読取部１００を通過する構成となっている。
【００３６】
表示部６００は読取ったカードの枚数や、読取ったデータ等を表示する。
【００３７】
ここで、認識部２００の動作について、より詳細に図３を用いて説明する。図３は認識部２００の処理の内容を表すフローチャート図である。
【００３８】
図３に示すように、電源投入の際に本装置１の認識部２００はまずバーコード読取部固有の質問信号「ＳＥＴ」を読取部１００に送る（Ｓ１）。これに対し「ＯＫ」の応答があるか否かの判断を行い（Ｓ２）、「ＯＫ」の応答があれば、装着されている読取部１００がバーコード読取部であることを制御部３００に伝える（Ｓ３）。これにより制御部３００はバーコード読取モードを選択し、本装置１はバーコード読取装置として動作する。
【００３９】
処理Ｓ２において、応答信号が「ＯＫ」以外のものである場合、又は返答がない場合は、認識部２００は次にコンタクトレスＩＣタグ読取部固有の質問信号「ＲＥＳＥＴ」を読取部１００に送る（Ｓ４）。これに対し「ＲＥＡＤＹ」の応答があるか否かの判断を行い（Ｓ５）、「ＲＥＡＤＹ」の応答があれば、装着されている読取部１００がコンタクトレスＩＣタグ読取部であることを制御部３００に伝える（Ｓ６）。これにより制御部３００はコンタクトレスＩＣタグ読取モードを選択し、本装置１はコンタクトレスＩＣタグ読取装置として動作する。
【００４０】
処理Ｓ５において、応答信号が「ＲＥＡＤＹ」以外のものである場合、又は返答がない場合は、バーコード読取部もコンタクトレスＩＣタグ読取部も装着されていないことを制御部３００に伝える（Ｓ７）。これにより制御部３００は表示部６００等に警告を出す。
【００４１】
カード７００に付する記録担体を変更する場合は、読取部１００を交換して電源を投入し直す。
【００４２】
本例によれば、記録担体をバーコードからコンタクトレスＩＣタグに（又はその逆に）変更しようとする場合に、読取部を交換するだけでよく、読取装置を買い替える必要がないのでコストが低減される。
【００４３】
さらに、装着された読取部に対応して読取モードが自動的に選択されるので、操作性がよい。
【００４４】
次に、本発明の他の具体例を説明する。
【００４５】
本例の読取装置は、読取部を接続するコネクタを２つ有し、バーコード用読取部とコンタクトレスＩＣタグ用読取部の両方を装着することができ、バーコードとコンタクトレスＩＣタグのいずれか、又は両方を読取可能な読取装置である。
【００４６】
なお、先の具体例と共通する部分については説明を省略する。
【００４７】
読取部１００は、使用するカード７００の種類に応じてバーコード読取部８００もしくはコンタクトレスＩＣタグ読取部９００、又はその両方を装着する。
【００４８】
図４は、本例に係る読取装置の構成ブロック図であり、図５は認識部の処理の内容を表すフローチャート図である。
【００４９】
図５に示すように、電源投入の際に本装置１の認識部２００はまずバーコード読取部固有の質問信号「ＳＥＴ」を読取部１００に送る（Ｓ８）。これに対し「ＯＫ」の応答があるか否かの判断を行い（Ｓ９）、「ＯＫ」の応答があれば、少なくともバーコード読取部が装着されていることが判明したので、次にコンタクトレスＩＣタグ読取部固有の質問信号「ＲＥＳＥＴ」を読取部１００に送る（Ｓ１０）。これに対し「ＲＥＡＤＹ」の応答があるか否かの判断を行い（Ｓ１１）、「ＲＥＡＤＹ」の応答があれば、コンタクトレスＩＣタグ読取部も装着されていることが判明したので、装着されている読取部１００がバーコード読取部及びコンタクトレスＩＣタグ読取部であることを制御部３００に伝える（Ｓ１２）。これにより制御部３００はバーコード・コンタクトレスＩＣタグ読取モードを選択し、本装置１はバーコード・コンタクトレスＩＣタグ読取装置として動作する。
【００５０】
処理Ｓ１１において、応答信号が「ＲＥＡＤＹ」以外のものである場合、又は応答がない場合は、コンタクトレスＩＣタグ読取部は装着されていないことが判明したので、装着されている読取部１００がバーコード読取部のみであることを制御部３００に伝える（Ｓ１３）。これにより制御部３００はバーコード読取モードを選択し、本装置１はバーコード読取装置として動作する。
【００５１】
一方、処理Ｓ９において、応答信号が「ＯＫ」以外のものである場合、又は応答がない場合は、バーコード読取部は装着されていないことが判明したので、次に処理Ｓ１０と同様に、コンタクトレスＩＣタグ読取部固有の質問信号「ＲＥＳＥＴ」を読取部１００に送る（Ｓ１４）。これに対し「ＲＥＡＤＹ」の応答があるか否かの判断を行い（Ｓ１５）、「ＲＥＡＤＹ」の応答があれば、装着されている読取部１００がコンタクトレスＩＣタグ読取部のみであることを制御部３００に伝える（Ｓ１６）。これにより制御部３００はコンタクトレスＩＣタグ読取モードを選択し、本装置１はコンタクトレスＩＣタグ読取装置として動作する。
【００５２】
処理Ｓ１５において、応答信号が「ＲＥＡＤＹ」以外のものである場合、又は応答がない場合は、バーコード読取部もコンタクトレスＩＣタグ読取部も装着されていないことを制御部３００に伝える（Ｓ１７）。これにより制御部３００は表示部６００等に警告を出す。
【００５３】
本例によれば、バーコードとコンタクトレスＩＣタグを同時に運用しようとする場合に、両方の記録担体に対応した読取部を装着するだけでよく、記録担体の種類ごとに読取装置を備える必要がないので、コストが低減され、また場所もとらない。
【００５４】
さらに、装着された読取部に対応して読取モードが自動的に選択されるので、操作性がよい。
【００５５】
【発明の効果】
以上説明したように、請求項１記載の発明は、種類の異なる読取部を着脱することにより種類の異なる記録担体を読取可能な記録担体の読取装置であって、装着された読取部の種類を認識する認識部と、前記種類の異なる読取部にそれぞれ対応する複数の読取モードを有する制御部を備え、前記認識部の認識結果に基づいて前記制御部の読取モードが選択されることを特徴とする読取装置である。
【００５６】
本発明によれば、１台の読取装置で種類の異なる記録担体を効率的に読取ることができる。
【００５７】
例えば記録担体を異なる種類のものに変更しようとする場合に、読取部を交換するだけでよく、読取装置を買い替える必要がないのでコストが低減される。
【００５８】
また、例えば異なる種類の記録担体を同時に運用しようとする場合にも、記録担体に対応した複数の読取部を装着するだけでよく、記録担体の種類ごとに複数の読取装置を備える必要がないので、コストが低減され、また場所もとらない。
【００５９】
さらに、装着された読取部に対応して読取モードが自動的に選択されるので、操作性がよい。
【００６０】
請求項２記載の発明は、請求項１記載の発明において、前記読取部はその種類に固有の質問信号を受信すると、その種類に固有の応答信号を送信する応答部を備え、前記認識部は前記読取部に質問信号を送信することにより前記読取部の種類を認識することを特徴とする読取装置である。
【００６１】
本発明によれば、信号のやりとりにより読取部の種類を効率的に認識することができる。
【００６２】
請求項３記載の発明は、請求項１又は２記載の発明において、前記種類の異なる読取部はバーコード用読取部とコンタクトレスＩＣタグ用読取部であることを特徴とする読取装置である。
【００６３】
本発明によれば、１台の読取装置でバーコードとコンタクトレスＩＣタグを効率的に読取ることができる。
【図面の簡単な説明】
【図１】本発明の具体例に係り、読取装置を示すブロック図である。
【図２】本発明の具体例に係り、読取装置を示す説明図である。
【図３】本発明の具体例に係り、認識部の処理を示すフローチャート図である。
【図４】本発明の具体例に係り、読取装置を示すブロック図である。
【図５】本発明の具体例に係り、認識部の処理を示すフローチャート図である。
【符号の説明】
１    読取装置
１００    読取部
１１０    応答部
２００    認識部
３００    制御部
４００    操作部
５００    搬送部
５１０    セット部
６００    表示部
７００    カード
８００    バーコード読取部
９００    コンタクトレスＩＣタグ読取部
【図１】
0003613518.tif 000002
【図２】
0003613518.tif 000003
【図３】
0003613518.tif 000004
【図４】
0003613518.tif 000005
【図５】
0003613518.tif 000006